(57)【要約】      （修正有）【課題】農業や林業において、支柱に鋼線、紐、ロープ、テープ等の張り線を固定するために用いられる固定具であって、簡単に外れたりすることがなく確実に取付けることができる固定具を提供する。【解決手段】固定具１は、支柱２の軸心方向に間隙を存して順次設けられ、かつ支柱２の張り線３がない側の支柱外周面に外嵌係合する第一、第二、第三の支柱係合部４、５、６と、第一、第二支柱係合部４、５の間に設けられ、支柱２の張り線３がある側に突出して支柱２との間に形成される隙間Ｙを張り線３が貫通する一対の張り線貫通部７とを備えて構成して、固定具１を、支柱２の張り線３がない側で嵌合支持するようにする。【選択図】図１
0003211988.tif 000002
【実用新案登録請求の範囲】
【請求項１】
支柱に張り線を固定するための固定具であって、
該固定具は、支柱の軸心方向に間隙を存して順次設けられ、かつ支柱の張り線がない側の支柱外周面に外嵌係合する第一、第二、第三の支柱係合部と、第一、第二支柱係合部のあいだに設けられ、支柱の張り線がある側に突出して支柱とのあいだに形成される隙間を張り線が貫通する一対の張り線貫通部とを備えて構成されていることを特徴とする支柱に対する張り線の固定具。
【請求項２】
第一支柱係合部は、周回り方向両端部から続く一対の第一脚部を介して張り線貫通部に至り、一方の張り線係合部は、第二脚部を介して第二支柱係合部の基端部に至り、該第二支柱係合部の先端部は、支柱越えをするべく遊端になっており、他方の張り線貫通部は、第三、第四脚部を介して第三支柱係合部の基端部に至り、該第三支柱係合部の先端部は支柱越えをするべく遊端になっていることを特徴とする請求項１記載の支柱に対する張り線の固定具。
【考案の詳細な説明】
【技術分野】
【０００１】
本考案は、農業や林業において、支柱に鋼線、紐、ロープ、テープ等の張り線を支柱に固定するために用いられる支柱に対する張り線の固定具の技術分野に関するものである。
【背景技術】
【０００２】
一般に、樹木等の育成栽培において、例えばＹ字棚を設置するような場合等に、支柱に鋼線、紐、ロープ、テープ等の張り線を固定する作業が必要となることがある。この場合、従来では、支柱と張り線を紐等で結束していた。しかしながら、この結束作業は、手間と時間がかかって作業効率に劣るうえ、結束が緩んだり外れたりすることもあった。そこで、支柱に張り線を固定するための固定具として、固定具本体の略中央部に係止用凹部が設けられ、該本体の両端部に前記係止用凹部と突出方向が逆向きの折り曲げ係止部が設けられた固定具（結束具）が提唱されている（例えば、特許文献１参照。）。この固定具は、支柱に、本体の係止用凹部を支点として押し付け、本体の両端の折り曲げ係止部に張り線を作用点として係止させることにより、張り線の張力を利用して該張り線が支柱に固定されるように構成されている。
【先行技術文献】
【特許文献】
【０００３】
【特許文献１】特開平９−９８６７２号公報
【考案の概要】
【考案が解決しようとする課題】
【０００４】
前記特許文献１の固定具を用いることにより、張り線を支柱にワンタッチで簡単に取付けることができ、また、固定具の取外しも簡単に行うことができる。しかしながら特許文献１の固定具は、張り線に係止する係止部が張り線に引っ掛けられただけであるため、何らかの外力により張り線の張力が緩むと、係止部が不用意に張り線から外れてしまって、張り線と支柱との固定が簡単に解除されてしまうという問題があり、ここに本考案の解決すべき課題がある。
【課題を解決するための手段】
【０００５】
本考案は、上記の如き実情に鑑みこれらの課題を解決することを目的として創作されたものであって、請求項１の考案は、支柱に張り線を固定するための固定具であって、該固定具は、支柱の軸心方向に間隙を存して順次設けられ、かつ支柱の張り線がない側の支柱外周面に外嵌係合する第一、第二、第三の支柱係合部と、第一、第二支柱係合部のあいだに設けられ、支柱の張り線がある側に突出して支柱とのあいだに形成される隙間を張り線が貫通する一対の張り線貫通部とを備えて構成されていることを特徴とする支柱に対する張り線の固定具である。
請求項２の考案は、第一支柱係合部は、周回り方向両端部から続く一対の第一脚部を介して張り線貫通部に至り、一方の張り線係合部は、第二脚部を介して第二支柱係合部の基端部に至り、該第二支柱係合部の先端部は、支柱越えをするべく遊端になっており、他方の張り線貫通部は、第三、第四脚部を介して第三支柱係合部の基端部に至り、該第三支柱係合部の先端部は支柱越えをするべく遊端になっていることを特徴とする請求項１記載の支柱に対する張り線の固定具である。
【考案の効果】
【０００６】
請求項１の考案とすることにより、固定具は、張り線固定状態において、第一、第二、第三の支柱係合部が張り線がない側の支柱外周面を外嵌係合し、張り線は、該側に突出する他方側において張り線貫通部に貫通した状態になる結果、張り線の支柱への固定が確実になって不用意に外れたりすることがない。
請求項２の考案とすることにより、固定具が、一本の硬質線形材料を曲げ加工することにより形成できることになって構造の簡略化、加工性の容易化が図れることになる。
【図面の簡単な説明】
【０００７】
【図１】（Ａ）（Ｂ）は固定具を用いて張り線を支柱に固定している状態を示す斜視図、側面図である。
【図２】（Ａ）（Ｂ）（Ｃ）（Ｄ）は固定具の正面図、背面図、側面図、斜視図である。
【図３】（Ａ）（Ｂ）（Ｃ）（Ｄ）は固定具を用いて張り線を支柱に固定するための手順を示す説明図である。
【図４】Ｙ字棚の概略斜視図である。
【考案を実施するための形態】
【０００８】
以下、本考案の実施の形態について、図面に基づいて説明する。図面において、１は支柱２に張り線３を固定するための固定具であって、該固定具１は、本実施の形態では、Ｙ字棚を設置する場合に、地面から傾斜状に立設される円筒パイプ状の支柱２に、水平方向に張られた被覆鋼線からなる張り線３を固定するために用いられる。尚、本実施の形態では、固定具１により固定される張り線３として被覆鋼線を例示したが、これに限定されることなく、ロープ、テープ、ワイヤー等の種々の張り線３を支柱２に固定する場合に用いることができる。また、本考案は、Ｙ字棚に限定されるものでなく、垂直棚等の各種の棚において、支柱に対して直角状に交差する張り線を固定する場合の固定具として用いることができる。
【０００９】
前記固定具１は、弾性を有する一本の硬質線形材料を曲げ加工することで形成されており、支柱２の軸心Ｘ方向にそれぞれ間隙を存して順次設けられ、かつ張り線３がない側の支柱２の外周面に外嵌係合する第一、第二、第三の支柱係合部４、５、６と、第一、第二支柱係合部４、５のあいだに設けられ、逆Ｖ字形に折曲した折曲部７ａが支柱２の張り線３がある側に突出して支柱２の外周面と折曲部７ａとのあいだの隙間Ｙに張り線３が貫通される一対の張り線貫通部７とを備えて構成されている。
【００１０】
前記第一支柱係合部４は支柱２が内嵌係合するべく円弧状になっているが、該第一支柱係合部４の支柱周回り方向両端部位からは、支柱２の軸心Ｘに対して傾斜する状態で支柱長方向に長くなって該支柱２を内嵌挟持する一対の平行状の第一脚部８が延設される。そして該第一脚部８は張り線貫通部７の一端部に至るが、該張り線貫通部７の他端部からは、支柱２の軸心Ｘに対して前記第一脚部８とは逆向きに傾斜する状態で支柱長方向に長くなって該支柱２を内嵌挟持する一対の平行状の第二、第三脚部９、１０が延設されるようになっている。
【００１１】
前記第二脚部９は、支柱２の周回り方向に円弧状に湾曲されていて支柱２が内嵌係合される前記第二支柱係合部５に至るが、該第二支柱係合部５の先端５ａは遊端となっている。
一方、第三脚部１０は、第二脚部９とは反対側位置で支柱２の軸心Ｘと平行状になる状態で曲して第四脚部１１に至るが、該第四脚部１１は、前記第二支柱係合部５とは反対側部位から支柱２の周回り方向に円弧状に湾曲されていて支柱２を内嵌係合する前記第三支柱係合部６に至るようになっているが、第三支柱係合部６の先端６ａは遊端になっている。そして第二支柱係合部５の先端５ａと第三、第四脚部１０、１１のあいだの折曲部１０ａとは間隙Ｚを存して対向するようになっている。
【００１２】
次に、固定具１を用いて支柱２に張り線３を固定する手順について説明する。
まず、第一支柱係合部４、第二支柱係合部５が張り線３とは反対側に位置し、第三支柱係合部６が張り線３側に位置する状態で第二、第三支柱係合部５、６同士の隙間Ｊに支柱２を嵌入する（図３（Ａ）参照）。次いで、第一支柱係合部５を、第三脚部１０を強制的に押し広げるようにして拡開させることで支柱２を乗り越えさせ、これにより支柱２は、第一支柱係合部４、左右の第二脚部９に囲まれた状態となり、第二、第三係合部５、６、並びに張り線貫通部７は、支柱２に対し、第一支柱係止部４がある側とは反対側に位置する状態になり、この状態で張り線３を張り線貫通部７に通す（図３（Ｂ）参照）。
次いで、第二脚部９を拡開させることで第二支柱係合部５の支柱２乗り越えをさせ、これにより第二支柱係合部５は第一支柱係合部４がある側に移動する（図３（Ｃ）参照）。しかる後、第四脚部１１を拡開させることで第三支柱係合部６の支柱２乗り越えをさせ、これにより該第三支柱係合部６は、支柱２の第一支柱係合部４がある側に移動し、以上で支柱２に対する張り線３の固定作業が終了する（図３（Ｄ）参照）。
尚、第二支柱係合部５、第三支柱係合部６の支柱２の乗り越え手順は逆であってもよい。
【００１３】
叙述の如く構成された本実施の形態において、固定具１は、一対の平行状の第一脚部８と該第一脚部８同士を連結するＵ字形状の第一支柱係合部４と、一方の張り線貫通部７を経て第二脚部９の先端部から折曲形成される第二支柱係合部５と、他方の張り線貫通部７から第三脚部１０を経て第四脚部１１の先端から折曲形成される第三支柱係合部６が支柱２の径方向一側に配され、張り線貫通部７が支柱２の径方向他側に配された状態で支柱２に取り付けられるから、張り線３は、支柱２に確実に固定されることになって、不用意に外れてしまうことがなく、しかも固定具１自体についても、不用意に外れてしまうことがない。
しかも先端が遊端となる第二、第三支柱係合部５、６は、円弧状になっていて支柱２の周回り方向に巻き付く状態となるので、これら先端が支柱２から突出してしまうもののように、衣服に引っ掛かったり作業者の皮膚に接触してけがをするようなことも回避される。
【００１４】
この様に本考案の実施の形態においては、支柱２に直角方向に交差する張り線３を固定具１を用いて固定するものにおいて、該固定具１が、支柱２の軸心Ｘ方向に間隙を存して順次設けられ、かつ支柱２の張り線３がない側の支柱２の外周面に外嵌係合する第一、第二、第三の支柱係合部４、５、６と、第一、第二支柱係合部４、５のあいだに設けられ、支柱２の張り線３がある側に逆Ｖ字形に折曲する状態で突出して支柱２とのあいだに形成される隙間Ｙに張り線３が貫通する一対の張り線貫通部７とを備えて構成されているため、固定具１は、張り線貫通部７に張り線３が貫通支持される側（張り線３側）とは逆側の支柱２の外周面に第一、第二、第三支柱嵌合部４、５、６が外嵌係合することになって、固定具１による張り線３の固定支持が確実になり、不用意に固定具１が外れてしまうようなことがない。
【００１５】
しかも第一支柱係合部４は、周回り方向両端部から続く一対の第一脚部８を介して張り線貫通部７の一端側に至り、そのうちの一方の張り線係合部７の他端側は、第二脚部９を介して第二支柱係合部５の基端部に至り、該第二支柱係合部５の先端部５ａは、支柱２を越えることができるよう遊端になっており、また他方の張り線貫通部の先端側は、第三、第四脚部１０、１１を介して第三支柱係合部６の基端部に至り、そして該第三支柱係合部６の先端部６ａは支柱２を越えることができるよう遊端になっているため、固定具１は、一本の硬質線形材料を曲げ加工することで簡単に形成できることになってコストダウンを図ることができる。
【００１６】
そのうえ、第二、第三の支柱嵌合部５、６の先端部５ａ、６ａは互いに逆側が遊端となっているため、第二、第三の支柱嵌合部５、６の支柱２の往復の超えさせるための作業が容易になって、支柱２に対する張り線３の固定作業が容易になる。
【産業上の利用可能性】
【００１７】
本考案は、農業や林業において、支柱に鋼線、紐、ロープ、テープ等の張り線を支柱に固定するために用いられる支柱に対する張り線の固定具として利用することができる。
【符号の説明】
【００１８】
１  固定具
２  支柱
３  張り線
４  第一支柱係合部
５  第二支柱係合部
５ａ  先端
６  第三支柱係合部
６ａ  先端
７  張り線貫通部
７ａ  折曲部
８  第一脚部
９  第二脚部
１０  第三脚部
１１  第四脚部
Ｘ  軸心
Ｙ  隙間
【図１】
0003211988.tif 000003
【図２】
0003211988.tif 000004
【図３】
0003211988.tif 000005
【図４】
0003211988.tif 000006
【手続補正書】
【提出日】平成29年6月15日(2017.6.15)
【手続補正１】
【補正対象書類名】明細書
【補正対象項目名】０００５
【補正方法】変更
【補正の内容】
【０００５】
本考案は、上記の如き実情に鑑みこれらの課題を解決することを目的として創作されたものであって、請求項１の考案は、支柱に張り線を固定するための固定具であって、該固定具は、支柱の軸心方向に間隙を存して順次設けられ、かつ支柱の張り線がない側の支柱外周面に外嵌係合する第一、第二、第三の支柱係合部と、第一、第二支柱係合部のあいだに設けられ、支柱の張り線がある側に突出して支柱とのあいだに形成される隙間を張り線が貫通する一対の張り線貫通部とを備えて構成されていることを特徴とする支柱に対する張り線の固定具である。
請求項２の考案は、第一支柱係合部は、周回り方向両端部から続く一対の第一脚部を介して張り線貫通部に至り、一方の張り線貫通部は、第二脚部を介して第二支柱係合部の基端部に至り、該第二支柱係合部の先端部は、支柱越えをするべく遊端になっており、他方の張り線貫通部は、第三、第四脚部を介して第三支柱係合部の基端部に至り、該第三支柱係合部の先端部は支柱越えをするべく遊端になっていることを特徴とする請求項１記載の支柱に対する張り線の固定具である。
【手続補正２】
【補正対象書類名】明細書
【補正対象項目名】００１５
【補正方法】変更
【補正の内容】
【００１５】
しかも第一支柱係合部４は、周回り方向両端部から続く一対の第一脚部８を介して張り線貫通部７の一端側に至り、そのうちの一方の張り線貫通部７の他端側は、第二脚部９を介して第二支柱係合部５の基端部に至り、該第二支柱係合部５の先端部５ａは、支柱２を越えることができるよう遊端になっており、また他方の張り線貫通部の先端側は、第三、第四脚部１０、１１を介して第三支柱係合部６の基端部に至り、そして該第三支柱係合部６の先端部６ａは支柱２を越えることができるよう遊端になっているため、固定具１は、一本の硬質線形材料を曲げ加工することで簡単に形成できることになってコストダウンを図ることができる。
【手続補正３】
【補正対象書類名】実用新案登録請求の範囲
【補正対象項目名】全文
【補正方法】変更
【補正の内容】
【実用新案登録請求の範囲】
【請求項１】
支柱に張り線を固定するための固定具であって、
該固定具は、支柱の軸心方向に間隙を存して順次設けられ、かつ支柱の張り線がない側の支柱外周面に外嵌係合する第一、第二、第三の支柱係合部と、第一、第二支柱係合部のあいだに設けられ、支柱の張り線がある側に突出して支柱とのあいだに形成される隙間を張り線が貫通する一対の張り線貫通部とを備えて構成されていることを特徴とする支柱に対する張り線の固定具。
【請求項２】
第一支柱係合部は、周回り方向両端部から続く一対の第一脚部を介して張り線貫通部に至り、一方の張り線貫通部は、第二脚部を介して第二支柱係合部の基端部に至り、該第二支柱係合部の先端部は、支柱越えをするべく遊端になっており、他方の張り線貫通部は、第三、第四脚部を介して第三支柱係合部の基端部に至り、該第三支柱係合部の先端部は支柱越えをするべく遊端になっていることを特徴とする請求項１記載の支柱に対する張り線の固定具。